(57)【特許請求の範囲】
【請求項１】
ワイヤレス子機を有し入力される音声を音声認識手段によって認識してダイヤル発信を行う音声ダイヤル機能を備えたコードレス電話機において、
親機に備えられて電話番号データとこの電話番号データに対応する名称データを含む電話帳データを記憶する電話帳データ記憶手段と、
親機に備えられて前記電話帳データ記憶手段に記憶された電話帳データに対応し前記音声認識手段によって認識される音声によって電話帳データ記憶手段から電話帳データを読み出すための音声認識データを記憶する音声認識データ記憶手段と、
親機に備えられて前記音声認識手段によって認識される音声に一致すると判定された複数の音声認識データを音声認識データ記憶手段から読み出す音声認識データ読み出し手段と、
子機に備えられて前記音声認識データ読み出しのための音声入力を親機に備えられた前記音声認識手段に送信する音声入力送信手段と、
親機に備えられて前記音声入力送信手段によって子機から送信されてくる音声入力を受信する音声入力受信手段と、
親機に備えられて前記音声入力受信手段によって受信される音声入力に基づいて音声認識データ読み出し手段により音声認識データ記憶手段から読み出される音声認識データを子機に送信する音声認識データ送信手段と、
子機に備えられて前記音声認識データ送信手段によって親機から送信されてくる音声認識データを受信する音声認識データ受信手段と、
子機に備えられて前記音声認識データ受信手段によって受信された音声認識データの表示または音声再生を行う告知手段と、
親機に備えられて前記音声認識データ読み出し手段によって音声認識データ記憶手段から読み出された複数の音声認識データのうちの任意の音声認識データを選択する操作および選択された音声認識データに対応して電話帳データ記憶手段から読み出された電話帳データに基づいて発信を行う操作を含む電話機の操作を行うための制御命令データおよびこの制御命令データを前記音声認識手段によって認識される音声により読み出すための制御用音声認識データを記憶する制御命令データ記憶手段と、
子機に備えられて前記制御命令データを読み出すための制御用音声入力を親機に備えられた前記音声認識手段に送信する制御用音声入力送信手段と、
親機に備えられて前記制御用音声入力送信手段によって子機から送信されてくる制御用音声入力を受信する制御用音声入力受信手段と、
親機に備えられて前記音声認識手段によって認識される制御用音声入力により制御命令データ記憶手段から制御用音声認識データに基づいて制御命令データを読み出す制御命令データ読み出し手段と、
親機に備えられてこの制御命令データ読み出し手段によって制御命令データ記憶手段から読み出された制御命令データに基づいて、音声認識データ記憶手段から読み出された複数の音声認識データを順次選択して音声認識データ送信手段によって子機に送信する操作と、選択された一つの音声認識データに対応して電話帳データ記憶手段から読み出された電話帳データに基づいて発信操作を行う制御手段と、を備え、
前記告知手段が、制御手段によって音声認識データの選択操作が行われるときに、次候補の音声認識データの表示または音声再生を行う
ことを特徴とする音声ダイヤル機能付き電話機。
【請求項２】
子機に備えられて前記音声認識データ受信手段によって受信された音声認識データに基づいてこの音声認識データに対応する前記電話帳データを特定する音声を合成する音声合成手段と、
子機に備えられて前記音声合成手段によって合成された音声を出力する音声出力手段と、
をさらに備えている請求項１に記載の音声ダイヤル機能付き電話機。
【請求項３】
前記音声合成手段によって合成される音声が、前記電話帳データに含まれる電話番号に対応する名称の読み仮名を読み上げる音声である請求項２に記載の音声ダイヤル機能付き電話機。
【請求項４】
親機に備えられて前記音声入力受信手段によって受信される音声入力に基づいて音声認識データ記憶手段から読み出される音声認識データによって電話帳データ記憶手段から読み出される電話帳データを子機に送信する電話帳データ送信手段と、
子機に備えられて前記電話帳データ送信手段から送信されてくる電話帳データを受信する電話帳データ受信手段と、
子機に備えられて前記電話帳データ受信手段によって受信される電話帳データを表示する表示手段と、
をさらに備えている請求項１に記載の音声ダイヤル機能付き電話機。
【請求項５】
前記表示手段によって表示される電話帳データが、電話番号データとこれに対応する名称データである請求項４に記載の音声ダイヤル機能付き電話機。
【請求項６】
子機に備えられて前記電話帳データ受信手段によって受信される電話帳データを保存する電話帳データ保存手段をさらに備えている請求項４に記載の音声ダイヤル機能付き電話機。
【発明の詳細な説明】
【０００１】
【発明の属する技術分野】
この発明は、音声認識によって外線へのダイヤル動作を行う機能を備えた電話機に関する。
【０００２】
【発明が解決しようとする課題】
近年、電話機によって発信を行う際に、キー入力によるダイヤル操作や短縮ダイヤル機能によるダイヤル操作を行う代わりに、音声入力によってあらかじめ登録されている電話帳データを呼び出して発信を行う所謂音声ダイヤル機能を備えた電話機が開発されてきている。
【０００３】
このような音声ダイヤル機能を備えた電話機は、ユーザが電話を掛けようとする相手の氏名や名称などを電話機に向かって発声するだけで相手先の電話番号を自動的にダイヤルして発信を行うので、面倒なキー入力操作が不要になるという優れた有用性を備えている。
【０００４】
ここで、家庭用電話機は、現在、ワイヤレス子機を備えたコードレス電話機が主流を占めているが、従来、このコードレス電話機に音声ダイヤル機能を搭載する場合、この音声ダイヤル機能を用いてダイヤル発信を行えるのは親機に限られていて、音声ダイヤル機能が十分に活用されないという問題が有る。
【０００５】
また、子機から音声ダイヤル機能を用いてダイヤル発信を行うことが出来るようにするためには、子機にも親機と同様の音声ダイヤル機能を搭載する必要があり、このため、製品価格を上昇させてしまうという問題が有る。
【０００６】
この発明は、上記のような従来の音声ダイヤル機能付き電話機が有している問題点を解決するために為されたものである。
【０００７】
すなわち、この発明は、ワイヤレス子機を備えたコードレス電話機において、音声ダイヤル機能が十分に活用されるようにするとともに、そのために製品価格が上昇するのを抑えることが出来るようにすることを目的としている。
【０００８】
【課題を解決するための手段】
第１の発明による音声ダイヤル機能付き電話機は、上記目的を達成するために、ワイヤレス子機を有し入力される音声を音声認識手段によって認識してダイヤル発信を行う音声ダイヤル機能を備えたコードレス電話機において、親機に備えられて電話番号データとこの電話番号データに対応する名称データを含む電話帳データを記憶する電話帳データ記憶手段と、親機に備えられて前記電話帳データ記憶手段に記憶された電話帳データに対応し前記音声認識手段によって認識される音声によって電話帳データ記憶手段から電話帳データを読み出すための音声認識データを記憶する音声認識データ記憶手段と、親機に備えられて前記音声認識手段によって認識される音声に一致すると判定された複数の音声認識データを音声認識データ記憶手段から読み出す音声認識データ読み出し手段と、子機に備えられて前記音声認識データ読み出しのための音声入力を親機に備えられた前記音声認識手段に送信する音声入力送信手段と、親機に備えられて前記音声入力送信手段によって子機から送信されてくる音声入力を受信する音声入力受信手段と、親機に備えられて前記音声入力受信手段によって受信される音声入力に基づいて音声認識データ読み出し手段により音声認識データ記憶手段から読み出される音声認識データを子機に送信する音声認識データ送信手段と、子機に備えられて前記音声認識データ送信手段によって親機から送信されてくる音声認識データを受信する音声認識データ受信手段と、子機に備えられて前記音声認識データ受信手段によって受信された音声認識データの表示または音声再生を行う告知手段と、親機に備えられて前記音声認識データ読み出し手段によって音声認識データ記憶手段から読み出された複数の音声認識データのうちの任意の音声認識データを選択する操作および選択された音声認識データに対応して電話帳データ記憶手段から読み出された電話帳データに基づいて発信を行う操作を含む電話機の操作を行うための制御命令データおよびこの制御命令データを前記音声認識手段によって認識される音声により読み出すための制御用音声認識データを記憶する制御命令データ記憶手段と、子機に備えられて前記制御命令データを読み出すための制御用音声入力を親機に備えられた前記音声認識手段に送信する制御用音声入力送信手段と、親機に備えられて前記制御用音声入力送信手段によって子機から送信されてくる制御用音声入力を受信する制御用音声入力受信手段と、親機に備えられて前記音声認識手段によって認識される制御用音声入力により制御命令データ記憶手段から制御用音声認識データに基づいて制御命令データを読み出す制御命令データ読み出し手段と、親機に備えられてこの制御命令データ読み出し手段によって制御命令データ記憶手段から読み出された制御命令データに基づいて、音声認識データ記憶手段から読み出された複数の音声認識データを順次選択して音声認識データ送信手段によって子機に送信する操作と、選択された一つの音声認識データに対応して電話帳データ記憶手段から読み出された電話帳データに基づいて発信操作を行う制御手段と、を備え、前記告知手段が、制御手段によって音声認識データの選択操作が行われるときに、次候補の音声認識データの表示または音声再生を行うことを特徴としている。
【０００９】
この第１の発明による音声ダイヤル機能付き電話機は、子機において電話帳データ読み出しのための音声入力が行われると、この子機に備えられた音声入力送信手段によってその音声入力が親機に送信され、その音声入力が親機に備えられた音声入力受信手段によって受信される。
【００１０】
親機において、この音声入力受信手段によって受信された音声入力を音声認識手段が音声認識すると、音声認識データ読み出し手段が、この音声認識手段によって認識された音声に一致する音声認識データを音声認識データ記憶手段から読み出す。
【００１１】
そして、この音声認識データ記憶手段から読み出された音声認識データが、音声認識データ送信手段によって親機から子機に送信されて、この子機に備えられた音声認識データ受信手段によって受信されて、この受信された音声認識データが表示または音声再生される。
【００１２】
子機を操作しているユーザは、親機から子機に音声認識データが送信されてきた後、ユーザが子機に制御用音声を入力すると、この子機に備えられた制御用音声入力送信手段がその制御用音声入力を親機に送信する。
この子機から送信される制御用音声入力は、親機に備えられた制御用音声入力受信手段によって受信され、この受信された制御用音声入力によって、親機に備えられた制御命令データ読み出し手段が、音声認識手段によって認識された制御用音声に一致する制御用音声認識データを制御命令データ記憶手段から検索して制御命令データの読み出しを行う。
このとき、親機において、音声認識データ読み出し手段が音声認識データ記憶手段から音声認識手段によって認識される音声に一致すると判定される複数の音声認識データを読み出したときに、子機に制御用音声を入力すると、親機において、制御命令データ読み出し手段が制御命令データ記憶手段から、複数の音声認識データのなかの任意の音声認識データを選択する制御命令データを読み出し、制御手段がこの制御命令データに基づいて、次候補の音声認識データを順次表示してゆくなどの手順によって、ユーザが所望する音声認識データの選択を行い、さらに、選択された音声認識データによって電話帳データ記憶手段から読み出された電話帳データに基づいてダイヤル発信を行う操作が行われる。
【００１３】
以上のように、上記第１の発明によれば、ワイヤレス子機を備えたコードレス電話機においても、子機から音声ダイヤル機能を利用してダイヤル発信を行うことが出来るので、コードレス電話機における音声ダイヤル機能の活用が十分に行われるようになるとともに、そのために電話帳データ記憶手段などの音声ダイヤル機能のための装備を子機が全て搭載する必要が無くなるので、製品価格の上昇を抑えることが出来る。
さらに、コードレス電話機において、音声入力による電話帳データの読み出しの他、複数読み出された電話帳データの選択やダイヤル発信などの操作も全て子機からの音声入力によって行うことが出来るので、コードレス電話機における音声ダイヤル機能の活用が十分に行われるようになる。
【００１４】
第２の発明による音声ダイヤル機能付き電話機は、前記目的を達成するために、第１の発明の構成に加えて、子機に備えられて前記音声認識データ受信手段によって受信された音声認識データに基づいてこの音声認識データに対応する前記電話帳データを特定する音声を合成する音声合成手段と、子機に備えられて前記音声合成手段によって合成された音声を出力する音声出力手段とをさらに備えていることを特徴としている。
【００１５】
この第２の発明による音声ダイヤル機能付き電話機によれば、親機から子機に音声認識データが送信されてくると、この子機に備えられた音声合成手段が、送信されてきた音声認識データから、電話帳データ記憶手段に記憶されている電話帳データのうち読み出された音声認識データに対応する電話帳データを特定する音声、例えば電話帳データに含まれる名称の読み仮名を読み上げる音声などを合成し、この合成された音声を音声出力手段によって出力する。
【００１６】
これによって、親機においてユーザによる音声入力の認識によって読み出された音声認識データが、子機において音声再生されて出力されるので、ユーザは、親機において行われた音声認識の結果を子機においてディスプレイなどを見なくても直ぐに確認することができるので、コードレス電話機において、その音声ダイヤル機能の活用が十分に行われるようになる。
【００１７】
第３の発明による音声ダイヤル機能付き電話機は、前記目的を達成するために、第２の発明の構成に加えて、前記音声合成手段によって合成される音声が、前記電話帳データに含まれる電話番号に対応する名称の読み仮名を読み上げる音声であることを特徴としている。
【００１８】
この第３の発明による音声ダイヤル機能付き電話機によれば、音声認識によって音声認識データが読み出された際に、音声合成手段によってその読み出された音声認識データに対応する電話帳データに含まれる名称の読み仮名が、子機において音声合成されて音声出力されるので、ユーザが、子機の操作だけで、音声認識によって読み出された音声認識データがダイヤル発信しようとする電話帳データに対応するものであるかどうかを容易に確認することができ、これによって誤ダイヤル発信を確実に防止することが出来るようになる。
【００２９】
第４の発明による音声ダイヤル機能付き電話機は、前記目的を達成するために、第１の発明の構成に加えて、親機に備えられて前記音声入力受信手段によって受信される音声入力に基づいて音声認識データ記憶手段から読み出される音声認識データによって電話帳データ記憶手段から読み出される電話帳データを子機に送信する電話帳データ送信手段と、子機に備えられて前記電話帳データ送信手段から送信されてくる電話帳データを受信する電話帳データ受信手段と、子機に備えられて前記電話帳データ受信手段によって受信される電話帳データを表示する表示手段とをさらに備えていることを特徴としている。
【００３０】
この第４の発明による音声ダイヤル機能付き電話機は、親機において音声認識データ読み出し手段によって音声認識データ記憶手段から音声認識データが読み出されると、電話帳データ読み出し手段によって、読み出された音声認識データに対応する電話帳データが電話帳データ記憶手段から読み出される。
【００３１】
この読み出された電話帳データは、電話帳データ送信手段によって親機から子機に送信され、子機に備えられた電話帳データ受信手段によって受信される。
【００３２】
そして、子機において、この受信された電話帳データに基づいて、例えば電話番号やこれに対応する名称などが子機に装備されたディスプレイなどの表示手段に表示される。
【００３３】
したがって、この第４の発明によれば、ユーザが、子機において、音声認識データの音声出力に加えて、表示手段に表示された電話帳データによってもダイヤル発信をしようとする電話番号などを確認することができるので、これによって、さらに確実に誤ダイヤル発信を防止することが出来るようになる。
【００３４】
第５の発明による音声ダイヤル機能付き電話機は、前記目的を達成するために、第４の発明の構成に加えて、前記表示手段によって表示される電話帳データが、電話番号データとこれに対応する名称データである特徴としている。
【００３５】
この第５の発明による音声ダイヤル機能付き電話機によれば、ユーザがコードレス電話機の子機において音声ダイヤル機能を利用してダイヤル発信を行う際に、この子機に装備されたディスプレイなどの表示手段に表示される電話番号とこれに対応する名称とを直接目で見て確認することが出来るので、さらに確実に誤ダイヤル発信を防止することが出来るようになる。
【００３６】
第６の発明による音声ダイヤル機能付き電話機は、前記目的を達成するために、第４の発明の構成に加えて、子機に備えられて前記電話帳データ受信手段によって受信される電話帳データを保存する電話帳データ保存手段をさらに備えていることを特徴としている。
【００３７】
この第６の発明による音声ダイヤル機能付き電話機によれば、親機において読み出された電話帳データが子機に送信され、この子機に備えられている電話帳データ受信手段により受信されて、電話帳データ保存手段に保存される。
【００３８】
この電話帳データ保存手段に保存された電話帳データは、再ダイヤルデータなどとして利用される。
【００３９】
【発明の実施の形態】
以下、この発明の最も好適と思われる実施の形態について、図面を参照しながら詳細に説明を行う。
【００４０】
なお、以下の実施形態においては、この発明を子機を有するコードレス電話機に適用した場合の例が示されている。
【００４１】
図１は、この発明による音声ダイヤル機能付き電話機の実施形態の一例におけるコードレス電話機の親機の構成を示すブロック図であり、図２はその子機の構成を示すブロック図である。
【００４２】
図１において、親機ＨＳは、外線接続端子Ｌ１，Ｌ２に入力される外線着信信号および受話信号を検波する検波回路１と、電話機と外線との回線接続を制御する回線制御回路２と、この回線制御回路２を介して入力されてくる受話信号の後述する他の回路への送出や外線への送話信号の送出を行う通話回路３と、この通話回路３を介して入力されてくる受話信号や外線に送出する送話信号の音声処理を行うとともに後述するＣＰＵに対してモデムとして機能するＤＳＰ（Digital Signal Processor）４と、子機との間でＭＣＡ（マルチ・チャンネル・アクセス）方式による無線通話回路を形成する無線送受信回路５と、子機との間で無線の送受信を行うアンテナ６と、回線制御回路２および通話回路３，ＤＳＰ４，無線送受信回路５に接続されて後述するような各回路の作動制御および音声ダイヤル機能の制御を行うＣＰＵ７と、このＣＰＵ７に接続されて電話番号等のデータ入力や電話機操作を行うキースイッチ８と、ＣＰＵ７に接続されたドライバ９およびこのドライバ９によって駆動される液晶パネルや有機ＥＬなどのディスプレイパネル１０とを備えている。
【００４３】
そして、ＣＰＵ７には、メモリＭが接続されており、このメモリＭは、後述するように、電話帳メモリメモリＭ１および音声認識データメモリＭ２，制御命令メモリＭ３，認識用辞書メモリＭ４，メッセージメモリＭ５によって構成されている。
【００４４】
なお、図１中、１１は外線接続端子Ｌ１，Ｌ２から入力されてくる外線着信信号を検出するリング回路であり、１２はこのリング回路１１による外線着信信号の検出によって呼出音を鳴らすモニタスビーカであり、１３はオンフックモード時にハンズフリーによる通話を行うためのマイクであり、１４は子機を置いたままで通話するためのオンフックモードへの切り換えを行うオンフックスイッチである。
【００４５】
図２において、子機ＴＵは、親機ＨＳとの間で無線の送受信を行うアンテナ２１と、このアンテナ２１を介して親機ＨＳとの間でＭＣＡ方式による無線通話回路を形成する無線送受信回路２２と、この無線送受信回路２２を介して入力されてくる受話信号や外線に送出する送話信号の音声処理を行うとともに後述するＣＰＵに対してモデムとして機能するＤＳＰ（Digital Signal Processor）２３と、このＤＳＰ２３および無線送受信回路２２に接続されて後述するような各回路の作動制御を行うＣＰＵ２４と、このＣＰＵ２４に接続されて電話番号等のデータ入力や電話機操作を行うキースイッチ２５と、ＣＰＵ２４に接続されたドライバ２６およびこのドライバ２６によって駆動される液晶パネルや有機ＥＬなどのディスプレイパネル２７とを備えている。
なお、図２中、２８はマイク、２９はレシーバである。
【００４６】
次に、親機が備えているメモリＭの構成について説明を行う。
【００４７】
このメモリＭは、前述したように、電話帳メモリメモリＭ１および音声認識データメモリＭ２，制御命令メモリＭ３，認識用辞書メモリＭ４，メッセージメモリＭ５によって構成されている。
【００４８】
電話帳メモリＭ１は、ユーザの登録によって電話先の電話番号と氏名や名所を記録しておくところで、図３に示されるように、電話帳アドレスが記録されるアドレスフィールドＭ１ａと、電話番号が記録される電話番号フィールドＭ１ｂと、電話番号に対応する氏名や名称が記録される名称フィールドＭ１ｃと、電話帳メモリＭ１に記録されている電話帳データと後述する音声認識データメモリＭ２に記録されている音声認識データとのリンク状態を記録するリンクフィールドＭ１ｄと、音声認識データメモリＭ２における音声認識データのアドレスが記録される音声認識データアドレスフィールドＭ１ｅが設けられている。
【００４９】
音声認識データメモリＭ２は、音声入力によって認識される音声認識データを記録しておくところで、フラッシュメモリによって構成され、図４に示されるように、音声認識データアドレスが記録されるアドレスフィールドＭ２ａと、音声認識データが記録される音声認識データフィールドＭ２ｂと、電話帳メモリＭ１のアドレスフィールドＭ１ａに記録された電話帳アドレスが記録される電話帳データアドレスフィールドＭ２ｃが設けられている。
【００５０】
制御命令メモリＭ３は、音声入力によって認識される命令内容を記録しておくところで、図５に示されるように、制御命令コードが記録される制御命令コードフィールドＭ３ａと、各制御命令コードに対応する音声入力による用語、例えば「ツギ」とか「ダイヤル」などの用語が記録される制御命令音声データフィールドＭ３ｂが設けられている。
【００５１】
認識用辞書メモリＭ４には、音声入力を認識するための用語辞書が記録され、また、メッセージメモリＭ５には、音声入力操作の手順を示すメッセージなどが記録される。
【００５２】
次に、上記電話機の電話帳データ登録時の作動について、フローチャートを参照しながら説明を行う。
【００５３】
なお、以下において、この発明の実施に使用される音声認識方式については、既存の種々の方式の使用が可能である。
【００５４】
図６は、ＣＰＵ７において行われる電話帳データ登録時の電話帳メモリＭ１および音声認識データメモリＭ２へのデータ登録の手順を示すフローチャートである。
【００５５】
この図６において、ＣＰＵ７は、キースイッチ８の電話帳データの登録を行うための登録キーがオンされたか否かの判断を行い（ステップａ１）、登録キーがオンされたと判断すると、次に、キースイッチ８のキー操作によって電話番号とそれに対応する氏名や名称が入力されたか否かの判断を行う（ステップａ２）。
【００５６】
そして、ステップａ２において電話番号とそれに対応する氏名や名称が入力されてきたと判断したときには、その入力されてくる電話番号とそれに対応する氏名や名称を、アドレスフィールドＭ１ａの指定された（または自動的に割り付けられた）電話帳データアドレス（例えば、０００１）に対応させて、それぞれ電話帳メモリＭ１の電話番号フィールドＭ１ｂと名称フィールドＭ１ｃに記録する（ステップａ３）。
【００５７】
次に、ＣＰＵ７は、キースイッチ８の登録終了キーがオンされたか否かの判断を行い（ステップａ４）、登録終了キーがオンされたと判断すると、電話帳メモリＭ１の名称フィールドＭ１ｃに記録された名称から読み仮名などの音声認識データの作成を行う（ステップａ５）。
【００５８】
さらに、このステップａ５において作成された音声認識データを、認識用辞書メモリＭ４に登録されている認識用辞書を参照することによって、音声認識が可能か否かについての判定を行う（ステップａ６）。
【００５９】
例えば、読み仮名のすべてに記号が付されているような場合には、音声認識が出来ない音声認識データであると判定される。
【００６０】
このステップａ６において音声認識が可であると判定された音声認識データは、音声認識データメモリＭ２のアドレスフィールドＭ２ａに割り付けられた音声認識データアドレス（例えば、０００１）に対応させて、音声認識データフィールドＭ２ｂに記録され、さらに、その音声認識データに対応する電話帳データの電話帳メモリＭ１における電話帳データアドレス番号が、電話帳データアドレスフィールドＭ２ｃに保存される（ステップａ７）。
【００６１】
なお、このとき、読み仮名データメモリＭ２に保存される音声認識データは、電話帳データの読み仮名順に分類されて記録される（図４参照）。
【００６２】
また、ステップａ６において、読み仮名に記号などが含まれていて音声認識が出来ない音声認識データであると判定されている場合には、その読み仮名に含まれる記号などが削除されて記録され、また、読み仮名の全てが記号などの場合には記録は行われない。
【００６３】
ステップａ７において音声認識データメモリＭ２への音声認識データの登録が終わると、次に、電話帳メモリＭ１のリンクフィールドＭ１ｄに、登録を行った音声認識データとのリンクの成立状態を示すデータ（リンクが正常に成立した場合には＋マーク，成立しなかった場合には−マーク）が記録されるとともに、音声認識データアドレスフィールドＭ１ｅに、その音声認識データが記録された音声認識データメモリＭ２の音声認識データアドレスが記録される（ステップａ８）。
【００６４】
以上のようにして、電話帳メモリＭ１への電話帳データの登録および音声認識データメモリＭ２への音声認識のための音声認識データの登録が完了すると、ＣＰＵ７は、メッセージメモリＭ５にあらかじめ登録されているメッセージデータのなかから登録が完了したことを示すメッセージデータを読み出して、そのメッセージを、ドライバ９によるディスプレイパネル１０への表示、または、モニタスピーカからの音声出力によって、ユーザに告知する（ステップａ９）。
【００６５】
なお、ステップａ６において音声認識が不可であると判定された場合には、その音声認識データの登録は行われず、その旨のメッセージがディスプレイパネル１０に表示される（ステップａ１０）。
【００６６】
次に、上記のようにして登録が終わった電話帳データが修正される場合の電話機の作動手順について、図７に示されるフローチャートに基づいて説明を行う。
【００６７】
この図７において、ＣＰＵ７は、従来のようなキースイッチ８におけるキー操作によって、または、後述するような音声入力操作によって、修正したい電話帳データを電話帳メモリＭ１から読み出して、ディスプレイパネル１０に表示させる（ステップｂ１）。
【００６８】
次に、ＣＰＵ７は、キースイッチ８に配置されている修正キー（図示せず）がオンされたか否かの判断を行い（ステップｂ２）、修正キーがオンされたと判断すると、次に、キースイッチ８のキー操作によって修正のための電話番号とそれに対応する氏名や名称が入力されたか否かの判断を行う（ステップｂ３）。
【００６９】
そして、このステップｂ３において電話番号とそれに対応する氏名や名称が入力されてきたと判断したときには、その入力されてくる電話番号とそれに対応する氏名や名称を、電話帳メモリＭ１に、ステップｂ１において呼び出されている電話帳データのアドレスフィールドＭ１ａに記録されている電話帳データアドレスに対応させて、電話番号フィールドＭ１ｂと名称フィールドＭ１ｃにそれぞれ上書きによって書き込むことにより保存する（ステップｂ４）。
【００７０】
次に、ＣＰＵ７は、キースイッチ８の修正終了キーがオンされたか否かの判断を行い（ステップｂ５）、修正終了キーがオンされたと判断すると、電話帳メモリＭ１の名称フィールドＭ１ｃに記録された修正後の名称から音声認識データの作成を行う（ステップｂ６）。
【００７１】
さらに、このステップｂ６において作成された音声認識データを、認識用辞書メモリＭ４に登録されている認識用辞書を参照することによって、音声認識が可能か否かについての判定を行う（ステップｂ７）。
【００７２】
例えば、読み仮名のすべてに記号が付されているような場合には、音声認識が出来ない音声認識データであると判定される。
【００７３】
このステップｂ６において、音声認識が可能であると判定された音声認識データは、ステップｂ１において呼び出された電話帳データとリンクしている音声認識データメモリＭ２の音声認識アドレスフィールドＭ２ａに割り付けられた音声認識データアドレスに対応させて、音声認識データフィールドＭ２ｂに上書きによって書き込まれて保存される（ステップｂ８）。
【００７４】
なお、このときの読み仮名に含まれる記号などの扱いについては、前述した音声認識データの登録時の扱いと同様である。
【００７５】
ステップｂ８において音声認識データメモリＭ２への音声認識データの修正登録が終わると、次に、電話帳メモリＭ１のリンクフィールドＭ１ｄに、修正登録を行った音声認識データとのリンクの成立状態を示すデータ（リンクが正常に成立した場合には＋マーク，成立しなかった場合には−マーク）が記録されるとともに、音声認識データアドレスフィールドＭ１ｅに、その音声認識データが記録された音声認識データメモリＭ２の音声認識データアドレスが記録される（ステップｂ９）。
【００７６】
以上のようにして、ステップｂ８における音声認識データメモリＭ２への修正後の音声認識データの登録が終わると、ＣＰＵ７は、メッセージメモリＭ５にあらかじめ登録されているメッセージデータのなかから修正登録が完了したことを示すメッセージデータを読み出して、そのメッセージを、ドライバ９によるディスプレイパネル１０への表示、または、モニタスピーカからの音声出力によって、ユーザに告知する（ステップｂ１０）。
【００７７】
なお、ステップｂ７において音声認識が不可であると判定された場合には、その音声認識データの修正登録は行われず、その旨のメッセージがディスプレイパネル１０に表示される（ステップｂ１１）。
【００７８】
次に、登録されている電話帳データと音声認識データとのリンクを解除する（音声入力による電話帳データの呼び出し機能を不能にする）場合、および、電話帳データと音声認識データのリンクを再登録する（音声入力による電話帳データの呼び出しを可能にする）の場合の電話機の作動手順について、図８に示されるフローチャートに基づいて説明を行う。
【００７９】
この図８において、ＣＰＵ７は、従来のようなキースイッチ８におけるキー操作によって、または、後述するような音声入力操作によって、リンク解除またはリンクの再登録を行う電話帳データを電話帳メモリＭ１から読み出して、ディスプレイパネル１０に表示させる（ステップｃ１）。
【００８０】
次に、ＣＰＵ７は、キースイッチ８に配置されているリンクキー（図示せず）がオンされたか否かの判断を行い（ステップｃ２）、リンクキーがオンされたと判断すると、次に、ステップｃ１において呼び出された電話帳データに対してリンクしている音声認識データが音声認識データメモリＭ２に存在するか否かを、電話帳メモリＭ１のリンクフィールドＭ１ｄのリンク記号に基づいて判定を行う（ステップｃ３）。
【００８１】
そして、このステップｃ３において、呼び出されている電話帳データにリンクする音声認識データが存在することを検出した場合には、この電話帳データとリンクする音声認識データをこの音声認識データが記録されている音声認識データメモリＭ２の対応する欄から削除する（ステップｃ４）とともに、電話帳メモリＭ１のリンクフィールドＭ１ｄの欄を、リンクが解除されていることを示す「−」の記号に書き換える（ステップｃ５）。
【００８２】
これによって、このリンクを削除した電話帳データは、音声入力によって呼び出すことが出来なくなる。
【００８３】
一方、ステップｃ３において、呼び出されている電話帳データにリンクする音声認識データが存在しない（リンクが削除されている）ことが検出された場合には、呼び出されている電話帳データから音声認識データの作成を行う（ステップｃ６）。
【００８４】
さらに、このステップｃ６において作成された音声認識データについて、認識用辞書メモリＭ４に登録されている認識用辞書を参照することによって、音声認識が可能か否かについての判定を行う（ステップｃ７）。
【００８５】
この音声認識データの音声認識が可能か否かについての判定の方法は、前述した音声認識データの登録および修正登録の際と同様である。
【００８６】
このステップｃ７において音声認識が可能であると判定された音声認識データは、音声認識データメモリＭ２の音声認識データアドレスフィールドＭ２ａに割り付けられた音声認識データアドレスに対応させて、音声認識データフィールドＭ２ｂに記録され、さらに、その音声認識データに対応する電話帳データの電話帳メモリＭ１における電話帳データアドレスが、電話帳データアドレスフィールドＭ２ｃに保存される（ステップｃ８）。
【００８７】
そして、ステップｃ８において音声認識データメモリＭ２への音声認識データの書き込みが終わると、次に、電話帳メモリＭ１において、リンクフィールドＭ１ｄのリンクの再登録を行う電話帳データに対応する欄の記号をリンクが成立している「＋」記号に書き換えるとともに、音声認識データアドレスフィールドＭ１ｅに、音声認識データメモリＭ２におけるリンクする音声認識データの音声認識データアドレスを記録する（ステップｃ９）。
【００８８】
以上のようにして、電話帳データと音声認識データの再登録が完了すると、ＣＰＵ７は、メッセージメモリＭ５にあらかじめ登録されているメッセージデータのなかからリンクの再登録が完了したことを示すメッセージデータを読み出して、そのメッセージを、ドライバ９によるディスプレイパネル１０への表示、または、モニタスピーカからの音声出力によって、ユーザに告知する（ステップｃ１０）。
【００８９】
なお、ステップｃ７において音声認識が不可であると判定された場合には、その音声認識データの再登録は行われず、その旨のメッセージがディスプレイパネル１０に表示される（ステップｃ１１）。
【００９０】
このようにしてリンクの再登録が行われた電話帳データは、音声入力によって再び呼び出すことが出来るようになる。
【００９１】
次に、音声入力により発信を行う場合の電話機の作動手順について、図９および１０に示されるフローチャートに基づいて説明を行う。
【００９２】
この図９および１０において、ＣＰＵ７は、キースイッチ８に配置されている音声入力キー（図示せず）がオンされたか否かの判断を行い（ステップｄ１）、音声入力キーがオンされると、次に、メモリＭの電話帳メモリＭ１および音声認識データメモリＭ２を検索して、電話帳メモリＭ１に登録されている電話帳データに対してリンクする音声認識データが登録されているか否かの判断を行う（ステップｄ２）。
【００９３】
このステップｄ２において、電話帳データとリンクする音声認識データが登録されていないと判断した場合には、ＣＰＵ７は、メッセージメモリＭ５にあらかじめ登録されているメッセージデータのなかから、電話帳データとリンクする音声認識データが登録されていない旨を示すメッセージデータを読み出して、そのメッセージを、ドライバ９によるディスプレイパネル１０への表示、または、モニタスピーカからの音声出力によって、ユーザに告知する（ステップｄ３）。
【００９４】
一方、ステップｄ２において、電話帳データとリンクする音声認識データが登録されていると判断した場合には、ＣＰＵ７は、電話機の操作モードを音声認識データメモリＭ２からの音声認識データ検索モードに切り換えた後（ステップｄ４）、親機ＨＳまたは子機ＴＵからの音声入力の有無を判断する（ステップｄ５）。
【００９５】
そして、このステップｄ５において、親機ＨＳまたは子機ＴＵからの音声入力があると、次に、音声入力が終了したかまたは音声入力時間が終了したか否かの判断を行い（ステップｄ６）、音声入力が終了したりまたは音声入力時間が終了した後、入力された音声に基づいて、音声認識データメモリＭ２の音声認識データフィールドＭ２ｂに記録されている音声認識データの検索を行う（ステップｄ７）。
【００９６】
このステップｄ７における検索の結果、音声認識によって入力された音声に一致すると判定される音声認識データのうち、上位の複数（この例では５件）の音声認識データの読み出しを行い、さらに、電話帳アドレスフィールドＭ２ｃに記録されている電話帳データアドレスに基づいて、読み出した各音声認識データに対応する電話帳メモリＭ１に登録されている電話帳データのそれぞれの読み出しを行う（ステップｄ８）。
【００９７】
次に、このステップｄ８において読み出した音声認識データのうち、上位のものからそのデータに基づいてテキスト合成を行い、その読み仮名をモニタスビーカ１２から音声再生するとともに、読み出した電話番号と名称をディスプレイパネル１０に表示するとことによって、ユーザに告知する（ステップｄ９）。
【００９８】
この音声再生のためのテキスト合成を行うアプリケーションとしては、既存の種々のアプリケーションを使用することが出来る。
【００９９】
そして、この音声認識データに基づくテキスト合成再生が一件毎に終了したか否かの判断を行って（ステップｄ１０）、一件の音声認識データに基づくテキスト合成再生が終了すると、次に、それまでの音声認識検索モードを制御命令メモリＭ３に対する制御命令音声データ検索モードに切り換える（ステップｄ１１）。
【０１００】
このとき、メッセージメモリＭ５からこれに登録されているメッセージを読み出して、例えば「次に制御用命令を音声入力してください。」というメッセージをディスプレイパネル１０に表示したりまたはモニタスビーカ１２から音声出力することによって、ユーザに次の操作を促す。
【０１０１】
ステップｄ１１における検索モード切換の後、親機ＨＳまたは子機ＴＵからの制御用音声の入力の有無を判断し（ステップｄ１２）、さらに、この音声入力が終了したかまたは音声入力時間が終了したか否かの判断を行って（ステップｄ１３）、音声入力が終了したりまたは音声入力時間が終了すると、入力された制御用音声に基づいて、制御命令メモリＭ３の制御命令音声データフィールドＭ３ｂを検索して、一致する制御命令音声データを検出する（ステップｄ１４）。
【０１０２】
そして、このステップｄ１４における検索の結果、入力された制御用音声に一致する制御命令音声データが次候補の音声認識データの表示を命令する「ツギ」を示すデータであるか否かを判断する（ステップｄ１５）。
【０１０３】
このステップｄ１５の判断において、入力された制御用音声に一致する制御命令音声データが次候補の表示を命令する「ツギ」を示すデータであると判断された場合には、ＣＰＵ７は、制御命令メモリＭ３の制御命令コードフィールドＭ３ａに記録されている制御命令コードに基づいて、ステップｄ８において読み出されている音声認識データのうち、そのとき表示されている音声認識データの次ぎの順位にある音声認識データを選択する（ステップｄ１６）。
【０１０４】
そして、この次候補の音声認識データに基づいてテキスト合成を行い、その読み仮名をモニタスビーカ１２から音声再生するとともに、対応する電話番号と名称をディスプレイパネル１０に表示するとことによって、ユーザに告知する（ステップｄ１７）。
【０１０５】
次に、この音声認識データに基づくテキスト合成再生が終了したか否かの判断を行って（ステップｄ１８）、このテキスト合成再生が終了すると、「次ぎに制御用命令を音声入力してください」というメッセージをディスプレイパネル１０に表示したりまたはモニタスビーカ１２から音声出力した後、ステップｄ１２に戻って、ステップｄ１５までの手順を繰り返す。
【０１０６】
このようにして、ユーザは、上記のような音声入力による制御命令を繰り返すことによって発信しようとする所望の電話番号を確定することが出来る。
【０１０７】
そして、ＣＰＵ７は、所望する電話番号が確定されてユーザが発信を意味する「ダイヤル」を音声入力し、ステップｄ１５において、ユーザから入力された制御用音声に一致する制御命令音声データが次候補の表示を命令する「ツギ」を示すデータではないと判断されると、さらに制御命令メモリＭ３の検索を行って、ユーザから入力された制御用音声に一致する制御命令音声データが発信を意味する「ダイヤル」を示すデータであるか否かの判断を行う（ステップｄ１９）。
【０１０８】
このステップｄ１９において、ユーザから入力された制御用音声に一致する制御命令音声データが発信を意味する「ダイヤル」を示すデータであると判断されると、ＣＰＵ７は、制御命令メモリＭ３の制御命令コードフィールドＭ３ａに記録されている制御命令コードに基づいて、回線制御回路２および通話回路３，ＤＳＰ４を制御して、そのとき表示されている電話番号に基づいてダイヤル発信を行う（ステップｄ２０）。
【０１０９】
なお、上記の操作手順において、制御用音声の入力の際に、入力された制御用音声に一致する制御命令音声データが制御命令メモリＭ３に登録されていない場合には、ＣＰＵ７は、その旨のメッセージをディスプレイパネル１０や音声によって表示するか、または、警告音をモニタスビーカ１２から出力した後、待機状態になって、再度制御用音声が入力されてくるのを待つ。
【０１１０】
次に、子機ＴＵからの音声入力によって発信を行う場合の子機における作動手順について、図１１に示されるフローチャートに基づいて説明を行う。
【０１１１】
この子機ＴＵからの音声入力による発信は、子機ＴＵに音声入力を行うことにより、親機ＨＳに備えられているメモリＭに登録されている音声認識用の各データを用いてダイヤル発信を行うものである。
【０１１２】
子機ＴＵのＣＰＵ２４（図２参照）は、子機ＴＵが外線通話時と同様に親機ＨＳとの間で通信回線が開かれている（キースイッチ２５に配置されている通話キーがオンされて、子機ＴＵの無線送受信回路２２と図１の親機ＨＳの無線送受信回路５との間でそれぞれアンテナ２１およびアンテナ６を介してデータの送受信が可能な状態になっている）状態で、キースイッチ２５に配置されている音声入力キー（図示せず）がオンされたか否かの判断を行い（ステップｅ１）、音声入力キーがオンされると、ＣＰＵ２４のメモリにあらかじめ登録されている読み出し命令コードを親機ＨＳに送信する（ステップｅ２）。
【０１１３】
この子機ＴＵからの読み出し命令コードを受信した親機ＨＳのＣＰＵ７は、親機ＨＳのキースイッチ８に配置されている音声入力キーがオンされたときと同じ状態（モード）になって、前述した図９および１０のフローチャートのステップｄ１からｄ４を経てステップｄ５に移行する。
【０１１４】
子機ＴＵのＣＰＵ２４は、ステップｅ２の読み出し命令コードの送信後、音声認識データの音声入力の有無を検出し（ステップｅ３）、音声入力があったことを検出すると、その入力された音声を親機ＨＳに送信する（ステップｅ４）。
【０１１５】
この子機ＴＵからの音声の送信を受けた親機ＨＳのＣＰＵ７は、前述した図９および１０のステップｄ５〜ｄ８を経て、子機ＴＵからの音声に一致すると思われる複数の音声認識データを読み出し、先ず、上位の音声認識データを子機ＴＵに送信する。
【０１１６】
子機ＴＵは、この親機ＨＳからの音声認識データを受信し（ステップｅ５）、そのデータに基づいてテキスト合成を行ってその読み仮名をモニタスビーカ１２から音声再生するとともに、読み出した電話帳データをディスプレイパネル２７に表示することによって、子機ＴＵを使用しているユーザに告知する（ステップｅ６）。
【０１１７】
次に、ＣＰＵ２４は、制御用音声の入力の有無を判断し（ステップｅ７）、さらに、この制御用音声の入力が終了したかまたは音声入力時間が終了したか否かの判断を行って（ステップｅ８）、音声入力が終了したりまたは音声入力時間が終了すると、入力された制御用音声を親機ＨＳに送信する（ステップｅ９）。
【０１１８】
この制御用音声データを受信した親機ＨＳのＣＰＵ７は、前述した図９および１０のステップｄ１１〜ｄ１５を経て受信した制御用音声の認識を行った後、制御用音声に一致する制御命令音声データが次候補の音声認識データの表示を命令する「ツギ」を示すデータである場合には、次候補の音声認識データおよびこれに対応する電話帳データを選択して子機ＴＵに送信する。
【０１１９】
また、制御用音声に一致する制御命令音声データが発信を意味する「ダイヤル」を示すデータである場合には、ＣＰＵ７は、図９および１０のステップｄ１９およびｄ２０を経て確定された電話番号に基づいてダイヤル発信を行うとともに、その発信を行った電話番号を含む電話帳データを子機ＴＵに送信する。
【０１２０】
子機ＴＵのＣＰＵ２４は、ステップｅ９において制御用音声の親機ＨＳへの送信後、次候補の音声認識データが送信されてきたか否かの判断を行い（ステップｅ１０）、次候補の音声認識データが送信されてきた場合にはステップｅ６に戻って上述した手順を繰り返し、次候補の音声認識データが送信されて来ずに親機ＨＳにおいて外線へのダイヤル発信が行われると、親機ＨＳから送信されてきた電話帳データを受信して（ステップｅ１１）、ディスプレイパネル２７に表示するとともに再ダイヤルデータとしてメモリに保存する（ステップｅ１２）。
【０１２１】
以上のようにして、子機ＴＵおける音声入力によるダイヤル発信が行われる。なお、子機ＴＵにおいて、メモリに保存する再ダイヤルデータには、ステップｅ６においてディスプレイパネル２７に表示されている電話帳データを用いるようにしても良い。
【図面の簡単な説明】
【図１】この発明による音声ダイヤル機能付き電話機の実施形態の一例における親機の回路構成を示すブロック図である。
【図２】同例における子機の回路構成を示すブロック図である。
【図３】同例の電話機の電話帳メモリに記録される電話帳データの例を示すテーブル図である。
【図４】同例の電話機の音声認識データメモリに記録される音声認識データの例を示すテーブル図である。
【図５】同例の電話機の制御命令メモリに記録される制御命令音声データの例を示すテーブル図である。
【図６】同例の電話機において音声認識データの登録が行われる際の作動手順を示すフローチャートである。
【図７】同例の電話機において電話帳データの修正が行われる際の作動手順を示すフローチャートである。
【図８】同例の電話機において電話帳データと音声認識データのリンクの削除および再設定が行われる際の作動手順を示すフローチャートである。
【図９】同例の電話機において音声認識により電話帳データが読み出される際の作動手順を示すフローチャートである。
【図１０】同例の電話機において音声認識により電話帳データが読み出される際の作動手順を示すフローチャートである。
【図１１】同例の電話機において子機によって音声認識による電話帳データの読み出しが行われる際の作動手順を示すフローチャートである。
【符号の説明】
１    …検波回路
２    …回線制御回路
３    …通話回路
４    …ＤＳＰ
５    …無線送受信回路
６    …アンテナ
７    …ＣＰＵ
８    …キースイッチ
９    …ドライバ
１０  …ディスプレイパネル
１１  …リング回路
１２  …モニタスビーカ
１３  …マイク
１４  …オンフックスイッチ
２１  …アンテナ
２２  …無線送受信回路
２３  …ＤＳＰ
２４  …ＣＰＵ
２５  …キースイッチ
２６  …ドライバ
２７  …ディスプレイ（表示手段）
２８  …マイク（音声出力手段）
２９  …レシーバ
Ｍ    …メモリ
Ｍ１  …電話帳メモリ（電話帳データ記憶手段）
Ｍ２  …音声認識データメモリ（音声認識データ記憶手段）
Ｍ３  …制御命令メモリ（制御命令データ記憶手段）
Ｍ４  …認識用辞書メモリ
Ｍ５  …メッセージメモリ
ＨＳ  …親機
ＴＵ  …子機
【図１】
0003995138.tif 000002
【図２】
0003995138.tif 000003
【図３】
0003995138.tif 000004
【図４】
0003995138.tif 000005
【図５】
0003995138.tif 000006
【図６】
0003995138.tif 000007
【図７】
0003995138.tif 000008
【図８】
0003995138.tif 000009
【図９】
0003995138.tif 000010
【図１０】
0003995138.tif 000011
【図１１】
0003995138.tif 000012